(57)【要約】      （修正有）【課題】施解錠装置付近からのこじ破りを防止できる、開口部装置を提供する。【解決手段】上下左右の枠からなる枠体と、枠体内に収められた障子とを備え、障子は、上下左右の框からなる框体と、框体に取り付けられた施解錠装置と、框体にシール部材１３１ｄを介して取り付けられたガラスパネル７５ａとを備えており、施解錠装置の近傍に位置するガラスパネルの室外側角部ｅ１には、保護部材１００ａを、シール部材との間に取り付ける。【選択図】図４ａ
2005113635.tif 000002
【特許請求の範囲】
【請求項１】
上下左右の枠からなる枠体と、前記枠体内に収められた障子とを備え、
前記障子は、上下左右の框からなる框体と、前記框体に取り付けられた施解錠装置と、前記框体にシール部材を介して取り付けられたガラスパネルとを備え、
前記施解錠装置の近傍に位置する前記ガラスパネルの室外側角部には、保護部材が、前記シール部材との間に取り付けられている、
ことを特徴とする開口部装置。
【発明の詳細な説明】
【技術分野】
【０００１】
本発明は、施解錠装置の不正解錠を防止する、保護部材を備えた開口部装置に関する。
【背景技術】
【０００２】
近年、建物の扉、あるいは窓等の出入り口に取り付けられている施解錠装置を外部から不正解錠し、不法に室内に侵入する犯罪が増加している。不法侵入の際には、施解錠装置の取り付け位置近傍の窓ガラスをハンマー等で破砕し、室外側から手を差し入れてクレセント等のハンドル部を回動させて施錠装置の解錠をはからんとする手口が多い。このような手口にかかると、たとえ開口部に二重ロック機能を備えていても、容易に解錠されてしまう。
【０００３】
特許文献１には、破損防止および飛散防止を実現できる良好な耐引裂性と耐衝撃性を有するガラスが開示されている。この発明によれば、ガラス保護フィルムを貼り付けることにより建物の窓ガラスの保護に優れた効果を発揮するため、室外側から破砕しても大きくガラスを打ち抜くことができないので、上記の不法解錠を防止することができるものと考えられる。
【特許文献１】特開２００３−２０５５８８号公報
【発明の開示】
【発明が解決しようとする課題】
【０００４】
しかし、昨今は、ガラスを破砕して解錠操作を行う打ち破りの手口に代わり、室外側から施解錠装置のハンドル部付近のガラス端部を狙って、ドライバーをこじ入れ、ガラス端部にヒビを入れてから、かかるヒビが入った部分を狙って、ドライバーの先等によって、手の先が入る程度ガラスを割るという、「こじ破り」の手口が増加している。
【０００５】
そこで、本発明は、施解錠装置付近におけるガラスパネルのこじ破りを防止できる、開口部装置を提供することを課題とする。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
請求項１の発明は、上下左右の枠（５１、５２、５４、５３）からなる枠体（５０）と、枠体内に収められた障子（６０、７０）とを備え、障子は、上下左右の框（６１、６２、６３、６４；７１、７２、７３、７４）からなる框体と、框体に取り付けられた施解錠装置（１００）と、框体にシール部材（１３１ａ〜１３１ｄ、１３７ａ、１３７ｂ）を介して取り付けられたガラスパネル（６５ａ、６５ｂ、７５ａ、７５ｂ）とを備え、施解錠装置の近傍に位置するガラスパネルの室外側角部（ｅ１）には、保護部材（１００ａ、１００ｂ）が、シール部材との間に取り付けられていることを特徴とする開口部装置（２００）を提供して、前記課題を解決する。
【０００８】
ここに本発明における「保護部材」は、不法侵入を図らんとするものが前記した「こじ破り」を試みた場合に、ガラスパネルにヒビが入らない程度の、強度を有するものである必要がある。具体的には例えば、所定の厚みを備えたステンレス鋼等の金属材料、ＦＲＰ、エンジニアリングプラスチック等が挙げられる。薄手の金属箔などは十分な強度が得られないので、本発明における保護部材としては適当ではない。
【発明の効果】
【０００９】
請求項１の発明によれば、保護部材が、室外側に面したガラスパネルとシール部材の間で、施解錠装置に対応する位置に取り付けられるため、こじ破り等を試みるものがあっても、保護部材によりガラスパネルが保護されるので、不法侵入を防ぐことができる。
【００１０】
本発明のこのような作用及び利得は、次に説明する発明を実施するための最良の形態から明らかにされる。
【発明を実施するための最良の形態】
【００１１】
以下本発明を図面に示す実施形態に基づき説明する。
【００１２】
図１は、本発明に係る開口部装置の一例としての、引き違い障子２００が閉じられた状態を室外側から概略的に示した正面図である。なお、以下の説明においては、図１の左右により左右の方向を示す。
【００１３】
図示の引き違い障子２００は、建物（図示せず）の所定箇所に取り付けられた枠体５０と、枠体５０内に収められた２枚の可動障子である内障子６０、および外障子７０を備えている。
【００１４】
枠体５０は、上枠５１、下枠５２、右縦枠５３、および左縦枠５４によって構成されている。
【００１５】
また、内障子６０は、上框６１と、下框６２と、右縦框６３と、左縦框６４と、これらの框内に固定されたガラスパネル６５とを備えており、左縦框６４の室内側には引き手（図１には現れていない。）が取り付けられている。外障子７０との召し合わせ框である右縦框６３（図１においては、下記の外障子７０の左縦框７４と召しあっており現れていない。）の中央部付近には施解錠装置１００(以下において、「クレセント１００」という。）が取り付けられている。図１においては、室内側のクレセント１００はガラスパネル７５を透かして表されている。
【００１６】
外障子７０は、上框７１、下框７２、右縦框７３、左縦框７４、およびこれらの框内に固定されたガラスパネル７５を備えており、右縦框７３の室内側には引き手（図１には現れていない。）が取り付けられている。内障子６０との召し合わせ框である左縦框７４にはクレセント１００と係合する係合部７６が設けられている。係合部７６も、ガラスパネル７５を透かして表されている。
【００１７】
なお、図１においては現れていないが、左縦框７４、および右縦框６３には図４、および図５の説明において詳述する保護部材１００ａ、１００ｂが取り付けられている。
【００１８】
図２は、引き違い障子２００が開かれた状態の縦断面図であり、図面左方向が室外側を表している。外障子７０にはガラスパネル７５ａ、および７５ｂが、複層ガラスとして上下端部をシール部材１３１ａ、および１３１ｂ（以下において「シール部材」を「グレージングチャネル」という。）を介して上框７１、および下框７２に取り付けられている。下框７２の内部には、下向に戸車１３２が設けられており、下枠５２から上向きに立設されたレール１３３の上に配置されている。戸車１３２が、レール１３３の上を回転しつつ見付け方向へと移動されることによって、外障子７０の開閉動作が可能となっている。
【００１９】
上框７１には上方に開口した溝１３４が形成されている。一方、上枠５１には、下方に向けて突片１３５が設けられている。そして、溝１３４の上部は突片１３５の厚さとほぼ同じ厚みの溝幅となるよう形成されている。かかる構成より、突片１３５が、上框７１に形成された溝１３４に隙間なく差し入れられることによって、外障子７０をガタつきなく滑らかに見付け方向へと移動させることができる。
【００２０】
同様に、内障子６０にはガラスパネル６５ａ、および６５ｂが、複層ガラスとして上下端部をグレージングチャネル１３７ａ、および１３７ｂを介して上框６１、および下框６２に取り付けられている。下框６２には、下向に戸車１３８が設けられており、下枠５２から上向に立設されたレール１３９の上に配置されている。戸車１３８が、レール１３９の上を回転しつつ見付け方向へと移動されることによって、内障子６０の開閉が可能となっている。
【００２１】
上框６１には上方に開口した溝１４０が形成されている。一方、上枠５１には、下方に向けて突片１４１が設けられている。そして、溝１４０の上部は突片１４１の厚さとほぼ同じ厚みの溝幅となるよう形成されている。かかる構成より、突片１４１が、上框６１に形成された溝１４１に隙間なく差し入れられることによって、内障子６０を滑らかに見付け方向へと移動させることができる。
【００２２】
図３は、引き違い障子２００が閉じられた状態における横断面図を示し、図面上方が室外側を表している。外障子７０の右縦框７３、左縦框７４には、グレージングチャネル１３１ｃ、およびグレージングチャネル１３１ｄを介してガラスパネル７５ａ、および７５ｂが、スペーサ１５０ａ、および１５０ｂを挟みこむようにして取り付けられている。左縦框７４は、内障子６０との召し合せ框であって、係合部７６（図１参照）を備えており、係合部７６には、内障子６０の召し合せ框である右縦框６３に設けられているクレセント１００（図１参照）の切片が係合されて施錠される。左縦框７４、および右縦框６３のそれぞれには、所定位置に保護部材１００ａ、および１００ｂが取り付けられている。
【００２３】
本発明では、保護部材１００ａ、および１００ｂに最大の特徴を備えており、下記に詳細な構造、および機能について説明する。なお、保護部材１００ａ、および１００ｂは、取り付け位置が異なるのみで、その構造、および機能ともに同一であるためここでは、保護部材１００ａを代表して説明する。
【００２４】
図４（ａ）は、図３における一点鎖線で囲んだ四角枠Ａの範囲を拡大した図であり、四角枠Ａ内には左縦框７４、および保護部材１００ａの周辺部材が示されている。グレージングチャネル１３１ｄは、室外面１０１、室内面１０２、および戸尻面１０３を備え、断面形状が略コの字の部材である。グレージングチャネル１３１ｄの室外面１０１と、ガラスパネル７５ａとの間には、保護部材１００ａが、ガラスパネル７５ａのコーナー部ｅ１に取り付けられている。さらに該保護部材１００ａは、グレージングチャネル１３１ｄの室外面１０１、および戸尻面１０３とで形成されたコーナー部ｅ２の内側に沿って延設されている。以下に、図４（ｂ）を参照しつつ、保護部材１００ａの詳細な構造を説明したのち、再び図４（ａ）に戻って、保護部材１００ａの防犯機能を説明する。
【００２５】
図４（ｂ）に示すように、保護部材１００ａは、本体部１０５、および固着部１１０によって構成されている。本体部１０５は、さらに閉鎖部１０６、取り付け部１０７、および押え部１０８によって構成されている。取り付け部１０７は、上記コーナー部ｅ１の形状に合わせて略９０度に屈曲されており、断面が略Ｌ字形状をなしている。取り付け部１０７の内側面の１０７ａ、および１０７ｂには、これらと同長となるように、上記ガラスパネル７５ａのコーナー部ｅ１に接着される固着部１１０が取り付けられている。本体部１０５は、固着部１１０によって内側面の１０７ａ、および１０７ｂを隙間無く覆われることにより、左縦框７４内で、ガラスパネル７５ａに安定して取り付けられている。
【００２６】
また、閉鎖部１０６は、取り付け部１０７の室外側面の先端に形成されており、取り付け部１０７より室内側にわずかに屈曲されている。閉鎖部１０６の先端１０６ａは、鎖線ｌ１で示す固着部１１０の内面の位置まで屈曲されており、保護部材１００ａが固着部１１０による接着によって上記ガラスパネル７５ａに取り付けられると、ガラスパネル７５ａに当接される。
【００２７】
また、押え部１０８は、取り付け部１０７の、室内側方向への延設面の先端に形成されており、取り付け部１０７より内側にわずかに屈曲されている。押え部１０８の先端１０８ａは、鎖線ｌ２で示す固着部１１０の内面の位置まで屈曲されており、保護部材１００ａが固着部１１０による接着によって上記ガラスパネル７５ａに取り付けられると、ガラスパネル７５ａの戸先側端面、またはセパレータ１５０ｂに当接される。
【００２８】
なお、保護部材１００ａの構成部材のうち、本体部１０５の材料は、本発明において特に限定されるものではないが、こじ破りに対応する十分な強度を確保するという観点から、たとえばステンレス鋼等の金属材料、エンジニアリングプラスチック、またはＦＲＰ等の材料を使用することが好ましい。また、固着部１１０には両面テープや、ブチルテープ等の粘着性を発揮する材料を使用することが、ガラスパネル等の熱膨張・収縮に追従することができるという観点から好ましいものである。
【００２９】
再び図４（ａ）を参照しつつ保護部材１００ａの防犯機能を説明する。室外側に面した、召し合せ框である左縦框７４に取り付けられている部材のうち、室外側に面しているガラスパネル７５ａが、こじ破りの標的とされる。この場合、ガラスパネル７５ａと、グレージングチャネル１３１ｄとの間に、ドライバーＤ等の工具先端が差込まれる。ドライバーＤが奥深くまで差込まれると、簡単にガラスパネル７５ａの端部に放射状のヒビが形成され、このヒビの近辺を工具等でたたくことにより、容易にガラスパネルを破砕して、孔を明けることができる。
【００３０】
保護部材１００ａが、上記の位置に固着部１１０によって取り付けられた状態では、グレージングチャネル１３１ｄによってガラスパネル７５ａ側に押圧されるため、ガラスパネル７５ａに当接されている閉鎖部１０６の先端部１０６ａと、ガラスパネル７５ａとはさらに圧着の度合いが高められる。そのため、閉鎖部１０６の先端部１０６ａとガラスパネル７５ａとの隙間から戸尻側にドライバーＤを差し入れられることが困難なものとなり、こじ破りが防止される。
【００３１】
すなわち、防犯機能を高めるために、保護部材１００ａの先端部１０６ａは、グレージングチャネル１３１ｄの先端部ｔよりも奥側に配置されているため、不法侵入者がドライバーＤの先端をグレージングチャンネル１３１ｄの内部に差し入れても、ドライバーＤの先端は保護部材１００ａの上面を上滑りして、ガラスパネル７５ａの側角部に至ることができない。このためこじ破りの手口において必須である、施解錠部近傍のガラスパネル端部にヒビ割れを生じさせることが困難となり、不正解錠を未然に防止することが可能となる。
【００３２】
図５は、保護部材１００ａの縦方向の取り付け位置を示した図である。なお、取り付け位置を分かりやすく示すために、ガラスパネル７５ａを室外方向から見た図を示す。保護部材１００ａは、図示のとおり、ガラスパネル７５ａの角部のほぼ中央位置となるよう取り付けられる。中央部に取り付けられることにより、上記クレセント１００（図示せず）付近（少なくともクレセント１００より、上下方向に３５ｃｍ以上の長さをとり、手等が差し入れられないようにする。）を覆うため、クレセント１００近傍からはこじ破りの被害を受けることはなく、不正解錠が防止される。また、保護部材１００ａは、クレセント付近を覆うことのできる長さに形成されており、断面形状が略Ｌ字形状であることから、ガラスパネルの規格（厚さ）ごとに長さや幅を調節する必要はなく、いずれのガラスパネルの角部にも簡便に取り付けることができる。また、ガラスパネルの一辺全長を覆う長さに形成し、防犯機能を強化することも可能である。
【００３３】
（変形例）
図６には、保護部材の変形例を示す。図６（ａ）に示した保護部材３００は、基面部３０２と、側部３０１ａ、および３０１ｂを備えた略コ字形状を呈している。基面部３０２の見込み方向長さは、複層ガラスパネル３１０ａ、３１０ｂの間隔と略同一に形成されている。かかる構成により、側部３０１ａ、および３０１ｂがガラスパネル３１０ａ、および３１０ｂを挟持する配置となり、両者の摩擦により保護部材３００はガラスパネルに固定される。この保護部材３００Ａは、複層ガラスパネル３１０ａ、３１０ｂそれぞれ外側の間隔が一定である場合に、あるいはその間隔の種類があまり多くない場合に適用が容易となる。また、保護部材１００ａのような固着部を設ける必要がないという利点がある。  図６（ｂ）には、基面部４０２の両側に内側方向に材料自身の弾性により付勢された側部４０１ａ、４０１ｂを備えた保護部材４００を示す。保護部材４００は、所定の長さに形成された基面部４０２と、側部４０１ａ、および４０１ｂを備えており、側部４０１ａ、４０１ｂの弾性による付勢によって、ガラスパネル３１０ａ、および３１０ｂを挟持している。ガラスパネル３１０ａ、および３１０ｂへの装着は、保護部材４００をそのままの形状で嵌め入れるだけでよい。また、保護部材４００は、複層ガラスパネル３１０ａ、３１０ｂ間の間隔が所定の範囲で変化しても対応することが可能である。さらに、保護部材４００も保護部材３００と同様に、固着部を設ける必要がないという利点がある。
【００３４】
上記の保護部材３００、および４００は、ガラスパネル３１０ａ、および３１０ｂの一辺全長を覆う長さに形成し、防犯機能を強化することも可能である。
【００３５】
本実施例では、クレセント１００が引き違い障子２００に取り付けられている開口部装置２００により本発明を説明したが、本発明はこれに限定されるものではなく、保護部材はガラスパネルを備えた、片引き窓、縦滑り出し窓、および四枚障子窓等の各種形態の窓に取り付けることが可能であり、施解錠装置として、クレセントだけではなく、サブロック、ハンドル等を備えた開口部装置にも適用することができる。また、保護部材１００ａは、施解錠装置の取り付け位置に応じて、施解錠装置近傍のガラスパネルの室外側角部に、縦横に方向をかえて被覆することができる。
【００３６】
さらに、以上の実施例では複合ガラスを例として説明したが、本発明は、単板ガラスを備えた開口部装置として構成してもよいことはいうまでもない。
【００３７】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００３８】
【図１】引き違い障子が閉じられた状態を室外側から概略的に示す、正面図である。
【図２】引き違い障子の縦断面を示す、断面図である。
【図３】引き違い障子が閉じられた状態を示す、横断面図である。
【図４ａ】図３における一点鎖線で囲んだ四角枠Ａの範囲を拡大して示す図である。
【図４ｂ】保護部材を概略的に示した側面図である。
【図５】保護部材の、縦方向の取り付け位置を示す図である。
【図６ａ】保護部材の一変形例を示す図である。
【図６ｂ】保護部材の他の変形例を示す図である。
【符号の説明】
【００３９】
５０  枠体
５１  上枠
５２  下枠
５３  右縦枠
５４  左縦枠
６０  内障子
６１  上框
６２  下框
６３  右縦框
６４  左縦框
６５ａ、６５ｂ  ガラスパネル
７０  外障子
７１  上框
７２  下框
７３  右縦框
７４  左縦框
７５ａ、７５ｂ  ガラスパネル
１００  クレセント（施解錠装置）
１００ａ、１００ｂ  保護部材
１３１ａ〜１３１ｄ  グレージングチャネル（シール部材）
１３７ａ  、１３７ｂ  グレージングチャネル（シール部材）
２００  開口部装置
ｅ１  コーナー部（角部）
【図１】
2005113635.tif 000003
【図２】
2005113635.tif 000004
【図３】
2005113635.tif 000005
【図４ａ】
2005113635.tif 000006
【図４ｂ】
2005113635.tif 000007
【図５】
2005113635.tif 000008
【図６ａ】
2005113635.tif 000009
【図６ｂ】
2005113635.tif 000010